【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
数の入力を受け付け、受け付けられた入力数を取得する取得手段と、
前記入力数を表す数字を第１表示領域に表示させる第１表示制御手段と、
予め用意された、所定の数を表すオブジェクトの画像データを一つ以上用いて、前記入力数と等価の数を、前記第１表示領域とは異なる表示形式で表すオブジェクト画像データを生成する画像生成手段と、
前記画像生成手段において生成された前記オブジェクト画像データが表す画像を、第２表示領域に表示させる第２表示制御手段と、
を備えることを特徴とする入力数表示装置。
【請求項２】
請求項１に記載の入力数表示装置であって、
前記取得手段は、対象物に関連した数の入力を受け付け、その数を前記入力数として取得し、
前記画像生成手段は、前記所定の数を表すオブジェクトの画像データとして前記対象物が表現された画像データを用いることを特徴とする入力数表示装置。
【請求項３】
請求項１又は請求項２に記載の入力数表示装置であって、
前記画像生成手段は、数の位毎に定められた、異なる外形によって表された前記オブジェクトの画像データを用いて、前記入力数における各位に対応したオブジェクトの画像を各位の値に応じた数だけ表すオブジェクト画像データを生成することを特徴とする入力数表示装置。
【請求項４】
請求項１乃至請求項３の何れか一項に記載の入力数表示装置であって、
前記入力数表示装置は、電子商取引における商品の購入数を表示し、
前記入力数は、前記商品の購入数を示すことを特徴とする入力数表示装置。
【請求項５】
請求項１乃至請求項４の何れか一項に記載の入力数表示装置であって、
前記画像生成手段は、それぞれ表す数が異なる、複数種類の前記オブジェクトの画像データを用いて前記オブジェクト画像データを生成することを特徴とする入力数表示装置。
【請求項６】
請求項１乃至請求項５の何れか一項に記載の入力数表示装置であって、
前記取得手段は、ユーザによる数を入力する操作を検出することで、数の入力を受け付け、受け付けられた数を取得することを特徴とする入力数表示装置。
【請求項７】
コンピュータを、
数の入力を受け付け、受け付けられた入力数を取得する取得手段、
前記入力数を表す数字を第１表示領域に表示させる第１表示制御手段、
予め用意された、所定の数を表すオブジェクトの画像データを一つ以上用いて、前記入力数と等価の数を、前記第１表示領域とは異なる表示形式で表すオブジェクト画像データを生成する画像生成手段と、
前記画像生成手段において生成された前記オブジェクト画像データが表す画像を、第２表示領域に表示させる第２表示制御手段、
として機能させることを特徴とする入力数表示プログラム。
【請求項８】
請求項７に記載の入力数表示プログラムであって、
前記画像生成手段は、それぞれ表す数が異なる、複数種類の前記オブジェクトの画像データを用いて前記オブジェクト画像データを生成することを特徴とする入力数表示プログラム。
【請求項９】
数の入力を受け付け、受け付けられた入力数を取得する取得手段と、前記入力数を表す数字を第１表示領域に表示させる表示制御手段と、を有する入力数表示装置が、通信回線網を介して接続される入力数表示用サーバ装置であって、
前記入力数表示装置から、当該入力数値表示装置が取得した前記入力数を示す入力数情報を受信する受信手段と、
予め用意された、所定の数を表すオブジェクトの画像データを一つ以上用いて、前記入力数と等価の数を、前記第１表示領域とは異なる表示形式で表すオブジェクト画像データを生成する画像生成手段と、
前記生成したオブジェクト画像データを前記入力数表示装置に送信して、前記入力数値表示装置の第２表示領域に前記オブジェクト画像データが表す画像を表示させる送信手段と、
を備えることを特徴とする入力数表示用サーバ装置。
【請求項１０】
請求項９に記載の入力数値表示用サーバ装置であって、
前記画像生成手段は、それぞれ表す数が異なる、複数種類の前記オブジェクトの画像データを用いて前記オブジェクト画像データを生成することを特徴とする入力数表示用サーバ装置。
【請求項１１】
コンピュータが、数の入力を受け付け、受け付けられた入力数を取得するステップと、
前記コンピュータが、前記入力数を表す数字を第１表示領域に表示させるステップと、
前記コンピュータが、予め用意された所定の数を表すオブジェクトの画像データを一つ以上用いて、前記入力数と等価の数を、前記第１表示領域とは異なる表示形式で表すオブジェクト画像データを生成するステップと、
前記コンピュータが、生成された前記オブジェクト画像データが表す画像を、第２表示領域に表示させるステップと、
を含むことを特徴とする入力数表示方法。
【請求項１２】
請求項１１に記載の入力数値表示方法であって、
前記オブジェクトの画像データは複数種類あり、それぞれが表す数が異なることを特徴とする入力数表示方法。
【手続補正２】
【補正対象書類名】明細書
【補正対象項目名】０００７
【補正方法】変更
【補正の内容】
【０００７】
上記課題を解決するために、請求項１に記載の入力数表示装置は、数の入力を受け付け、受け付けられた入力数を取得する取得手段と、前記入力数を表す数字を第１表示領域に表示させる第１表示制御手段と、予め用意された、所定の数を表すオブジェクトの画像データを一つ以上用いて、前記入力数と等価の数を、前記第１表示領域とは異なる表示形式で表すオブジェクト画像データを生成する画像生成手段と、前記画像生成手段において生成された前記オブジェクト画像データが表す画像を、第２表示領域に表示させる第２表示制御手段と、を備えることを特徴とする。
【手続補正３】
【補正対象書類名】明細書
【補正対象項目名】００１０
【補正方法】変更
【補正の内容】
【００１０】
請求項２に記載の入力数表示装置は、請求項１に記載の入力数表示装置であって、前記取得手段は、対象物に関連した数の入力を受け付け、その数を前記入力数として取得し、前記画像生成手段は、前記所定の数を表すオブジェクトの画像データとして前記対象物が表現された画像データを用いることを特徴とする。
【手続補正４】
【補正対象書類名】明細書
【補正対象項目名】００１２
【補正方法】変更
【補正の内容】
【００１２】
請求項３に記載の入力数表示装置は、請求項１又は請求項２に記載の入力数表示装置であって、前記画像生成手段は、数の位毎に定められた、異なる外形によって表された前記オブジェクトの画像データを用いて、前記入力数における各位に対応したオブジェクトの画像を各位の値に応じた数だけ表すオブジェクト画像データを生成することを特徴とする。
【手続補正５】
【補正対象書類名】明細書
【補正対象項目名】００１４
【補正方法】変更
【補正の内容】
【００１４】
請求項４に記載の入力数表示装置は、請求項１乃至請求項３の何れか一項に記載の入力数表示装置であって、前記入力数表示装置は、電子商取引における商品の購入数を表示し、前記入力数は、前記商品の購入数を示すことを特徴とする。
【手続補正６】
【補正対象書類名】明細書
【補正対象項目名】００１５
【補正方法】変更
【補正の内容】
【００１５】
請求項５に記載の入力数表示装置は、請求項１乃至請求項４の何れか一項に記載の入力数表示装置であって、前記画像生成手段は、それぞれ表す数が異なる、複数種類の前記オブジェクトの画像データを用いて前記オブジェクト画像データを生成することを特徴とする。
【手続補正７】
【補正対象書類名】明細書
【補正対象項目名】００１７
【補正方法】変更
【補正の内容】
【００１７】
請求項７に記載の入力数表示プログラムは、コンピュータを、数の入力を受け付け、受け付けられた入力数を取得する取得手段、前記入力数を表す数字を第１表示領域に表示させる第１表示制御手段、予め用意された、所定の数を表すオブジェクトの画像データを一つ以上用いて、前記入力数と等価の数を、前記第１表示領域とは異なる表示形式で表すオブジェクト画像データを生成する画像生成手段と、前記画像生成手段において生成された前記オブジェクト画像データが表す画像を、第２表示領域に表示させる第２表示制御手段、として機能させることを特徴とする。
【手続補正８】
【補正対象書類名】明細書
【補正対象項目名】００１９
【補正方法】変更
【補正の内容】
【００１９】
請求項８に記載の入力数表示プログラムは、請求項７に記載の入力数表示プログラムであって、前記画像生成手段は、それぞれ表す数が異なる、複数種類の前記オブジェクトの画像データを用いて前記オブジェクト画像データを生成することを特徴とする。
【手続補正９】
【補正対象書類名】明細書
【補正対象項目名】００２０
【補正方法】変更
【補正の内容】
【００２０】
請求項９に記載の入力数表示用サーバ装置は、数の入力を受け付け、受け付けられた入力数を取得する取得手段と、前記入力数を表す数字を第１表示領域に表示させる表示制御手段と、を有する入力数表示装置が、通信回線網を介して接続される入力数表示用サーバ装置であって、前記入力数表示装置から、当該入力数値表示装置が取得した前記入力数を示す入力数情報を受信する受信手段と、予め用意された、所定の数を表すオブジェクトの画像データを一つ以上用いて、前記入力数と等価の数を、前記第１表示領域とは異なる表示形式で表すオブジェクト画像データを生成する画像生成手段と、前記生成したオブジェクト画像データを前記入力数表示装置に送信して、前記入力数値表示装置の第２表示領域に前記オブジェクト画像データが表す画像を表示させる送信手段と、を備えることを特徴とする。
【手続補正１０】
【補正対象書類名】明細書
【補正対象項目名】００２２
【補正方法】変更
【補正の内容】
【００２２】
請求項１０に記載の入力数表示用サーバ装置は、請求項９に記載の入力数値表示用サーバ装置であって、前記画像生成手段は、それぞれ表す数が異なる、複数種類の前記オブジェクトの画像データを用いて前記オブジェクト画像データを生成することを特徴とする。
【手続補正１１】
【補正対象書類名】明細書
【補正対象項目名】００２３
【補正方法】変更
【補正の内容】
【００２３】
請求項１１に記載の入力数表示方法は、コンピュータが、数の入力を受け付け、受け付けられた入力数を取得するステップと、前記コンピュータが、前記入力数を表す数字を第１表示領域に表示させるステップと、前記コンピュータが、予め用意された所定の数を表すオブジェクトの画像データを一つ以上用いて、前記入力数と等価の数を、前記第１表示領域とは異なる表示形式で表すオブジェクト画像データを生成するステップと、前記コンピュータが、生成された前記オブジェクト画像データが表す画像を、第２表示領域に表示させるステップと、を含むことを特徴とする。
【手続補正１２】
【補正対象書類名】明細書
【補正対象項目名】００２５
【補正方法】変更
【補正の内容】
【００２５】
請求項１２に記載の入力数表示方法は、請求項１１に記載の入力数値表示方法であって、前記オブジェクトの画像データは複数種類あり、それぞれが表す数が異なることを特徴とする。